(57)【要約】【課題】移動局の消費電力を削減する。【解決手段】この発明は、周期的に到来する更新時期に、移動局１０のディスプレイ２０に表示された画像が更新されるように、画像制御部３０で制御する画像制御方法において、前記画像制御部３０に設けられ、前記画像の更新処理を行う画像更新部４１が、電源接続状態で、前記更新処理を行う更新ステップと、前記画像更新部４１が電源切断状態にされる電源切断ステップと、この電源切断ステップ中に、前記更新時期が到来した時、前記画像と、更新予定の画像とが同一の画像である場合は、前記画像更新部４１の電源切断状態を維持する電源切断状態維持ステップとを備える画像制御方法である。【選択図】        図１
2004201251.tif 000002
【特許請求の範囲】
【請求項１】
周期的に到来する更新時期に、移動局のディスプレイに表示された画像が更新されるように、画像制御部で制御する画像制御方法において、
前記画像制御部に設けられ、前記画像の更新処理を行う画像更新部が、電源接続状態で、前記更新処理を行う更新ステップと、
前記画像更新部が電源切断状態にされる電源切断ステップと、
この電源切断ステップ中に、前記更新時期が到来した時、前記画像と、更新予定の画像とが同一の画像である場合は、前記画像更新部の電源切断状態を維持する電源切断状態維持ステップとを備えることを特徴とする画像制御方法。
【請求項２】
請求項１記載の画像制御方法において、
前記画像は、前記移動局が検知している電界強度を段階的に示す電界強度レベルを表す画像であり、
前記画像更新部は、移動局の電界強度を示す電界強度信号が通知された場合に電源が接続されるものであり、
前記電源切断状態維持ステップは、
移動局の電界強度を監視する電界強度監視部から出力される電界強度信号を受信する受信ステップと、
この受信ステップで受信された電界強度信号に応じた第１の電界強度レベルと、前記ディスプレイに表示されている画像が示す第２の電界強度レベルとを比較する比較ステップとを備え、
この比較の結果、前記第１の電界強度レベルと、前記第２の電界強度レベルとが同じである場合に、前記画像更新部へ前記電界強度信号を入力しないことを特徴とする画像制御方法。
【請求項３】
請求項２記載の画像制御方法において、
前記第２の電界強度レベルは、
前記画像更新部へ前記電界強度信号を入力した場合に、前記電界強度信号が属する電界強度レベルであって、
前記第２の電界強度レベルとして記憶部に書き込まれることを特徴とする画像制御方法。
【請求項４】
周期的に到来する更新時期に、移動局のディスプレイに表示された画像が更新されるように、画像制御部で制御する移動局において、
前記画像制御部に設けられ、前記画像の更新処理を電源接続状態で行い、また電源切断状態となる画像更新部を備え、
前記画像更新部が電源切断状態中に、前記更新時期が到来した時、前記画像と、更新予定の画像とが同一の画像である場合は、前記画像制御部が、前記画像更新部の電源切断状態を維持することを特徴とする移動局。
【発明の詳細な説明】
【０００１】
【発明の属する技術分野】
この発明は、前記移動局のディスプレイに表示された画像を移動局が検知している電界強度レベルに応じた画像に更新する画像制御方法に関する発明である。
【０００２】
【従来の技術】
従来、下記の特許文献１に記載されるような、次の発明があった。
この公知技術の目的は、通信機能を損なうことなく、充分な省電力化を行うことができる携帯移動無線端末装置を提供することである。
【０００３】
また、その目的を達成するための具体的手段は、
受信電界強度を検出する受信電界強度検出部と、
基地局に対し、信号を送信する送信部と、
送信信号を記憶する記憶装置と、
前記送信部に対する電源の供給をオン／オフするスイッチと、
指令を入力するための操作手段と、
前記操作手段により所定の指令が与えられた場合に、前記受信電界強度検出部により検出された受信電界強度が第１の閾値よりも低いときには、前記スイッチをオフ状態として前記送信部への給電を行うとともに前記記憶装置に格納された送信信号を前記送信部により基地局へ送信する制御部とを具備する携帯移動無線端末装置である。
【０００４】
【特許文献１】
特開平１０−９８４２７号公報
【０００５】
【発明が解決しようとする課題】
しかしながら、その公知技術は、この発明とは、目的が異なるものである。したがって、画像更新部の更新処理回数を削減することによって、移動局の消費電力を削減することはできない。
【０００６】
そこで、この発明は、画像更新部の更新処理回数を削減することによって、移動局の消費電力を削減することを目的とする。そして、画像更新部の更新処理回数を削減しても、移動局のディスプレイに、更新時期に、更新予定の画像を表示させておくことを目的とする。
【０００７】
【課題を解決するための手段】
この発明は、周期的に到来する更新時期に、移動局のディスプレイに表示された画像が更新されるように、画像制御部で制御する画像制御方法において、
前記画像制御部に設けられ、前記画像の更新処理を行う画像更新部が、電源接続状態で、前記更新処理を行う更新ステップと、
前記画像更新部が電源切断状態にされる電源切断ステップと、
この電源切断ステップ中に、前記更新時期が到来した時、前記画像と、更新予定の画像とが同一の画像である場合は、前記画像更新部の電源切断状態を維持する電源切断状態維持ステップとを備える画像制御方法である。
【０００８】
この発明は、周期的に到来する更新時期に、移動局のディスプレイに表示された画像が更新されるように、画像制御部で制御する移動局において、
前記画像制御部に設けられ、前記画像の更新処理を電源接続状態で行い、また電源切断状態となる画像更新部を備え、
前記画像更新部が電源切断状態中に、前記更新時期が到来した時、前記画像と、更新予定の画像とが同一の画像である場合は、前記画像制御部が、前記画像更新部の電源切断状態を維持する移動局である。
【発明の実施の形態】
実施の形態１．
この実施の形態１の移動局の構成について、図１に基づいて説明する。
移動局１０は、一般にアンテナマークと称される電界強度レベル画像等を表示するディスプレイ２０を備えている。ディスプレイ２０に表示された画像は、画像制御部３０によって制御されている。画像制御部３０は、端末制御装置４０、通信制御装置５０および送信抑制装置６０とを備えている。画像制御部３０は、アンテナ７０を介して無線信号を送受信する信号送受信装置８０と電気的に接続されている。
【０００９】
端末制御装置４０、通信制御装置５０および送信抑制装置６０について説明する。
端末制御装置４０は、ディスプレイ２０若しくはその他の出力装置（図示せず）または入力装置（図示せず）等の各端末を制御する装置である。また、ディスプレイ２０に表示された画像を、移動局１０の検知している電界強度に応じた画像に更新する機能を有する装置である。
【００１０】
通信制御装置５０は、移動局１０の通信状態を制御する装置である。また、移動局１０の電界強度を検知し、検知した信号を、通信制御装置５０以外の装置に向けて送信する機能を有する装置である。
【００１１】
なお、端末制御装置４０と通信制御装置５０とは、異なるＣＰＵ（図示せず）によって動作している。したがって、端末制御装置４０が、通信制御装置５０の管理している情報を使用する場合、通信制御装置５０からその情報を受信しなければならない。
【００１２】
端末制御装置４０の備える機能部について説明する。
端末制御装置４０は、画像更新部４１を備える。
画像更新部４１は、移動局１０の検知している電界強度を示す信号（以降、「電界強度信号」という）が画像更新部４１に入力された時に、電源を接続する。
また、画像更新部４１に入力された電界強度信号に応じて、電界強度レベル画像を特定する。この特定された画像が更新予定の画像である。
【００１３】
また、更新予定の画像が特定された後、更新予定の画像が、ディスプレイ２０に表示されている画像に代わって、ディスプレイ２０に表示される。
ディスプレイ２０に表示されている画像が、更新予定の画像に更新された後は、画像更新部４１の電源が切断される。
【００１４】
電界強度信号、電界強度レベルおよび電界強度画像の関係を図２に基づいて説明する。
画像更新部４１は、閾値Ｂ１〜Ｂ３を有する。これらの閾値を利用して、電界強度信号Ｎがいずれのレベル（Ｌｅｖ.０〜３）に該当するのか特定する。各レベル（Ｌｅｖ．０〜３）には、電界強度レベル画像Ｍ０〜３がそれぞれ対応している。
【００１５】
通信制御装置５０の備える各機能部について説明する。
通信制御装置５０は、無線情報管理部（電界強度監視部）５１およびイベント発生通知部５２を備えている。
無線情報管理部５１は、定期的に、信号送受信装置８０と情報を交換し、移動局１０の電界強度を管理している。
【００１６】
イベント発生通知部５２は、各機能部の動作に影響を与えるイベントが発生していることを把握している。また、イベントが発生したことを、通信制御装置５０以外の装置に向けて通知する。実施の形態１のイベント発生通知部５２は、移動局１０の電界強度を把握し、把握した電界強度を示す電界強度信号Ｎを、送信抑制装置６０に向けて、定期的に出力する。例えば１．５秒周期で出力する。
【００１７】
送信抑制装置６０の構成及び機能を説明する。
送信抑制装置６０は、演算処理装置６１と記憶装置６２（記憶部）とを備えている。
また、送信抑制装置６０は、電界強度信号Ｎを受信し、受信した電界強度信号Ｎが、その受信の時点でディスプレイ２０に表示されている電界強度レベル画像を変更する信号であれば、その電界強度信号Ｎを端末制御装置４０に向けて送信する。
【００１８】
しかし、その受信の時点でディスプレイ２０に表示されている電界強度レベル画像を変更する信号でなければ、その電界強度信号Ｎを端末制御装置４０に向けて送信しない。
【００１９】
送信抑制装置６０の動作について、図３に基づいて説明する。
ステップＳ１は、移動局１０の電源が接続された場合に行われる初期動作である。この初期動作は、端末制御装置４０の画像更新部４１に保持されている閾値Ｂ１〜Ｂ３が、送信抑制装置６０の記憶装置６２に書き込まれる動作である。
【００２０】
ステップＳ２は、送信抑制装置６０が、通信制御装置５０のイベント発生通知部５２から出力される電界強度信号Ｎを待受けるステップである。
【００２１】
ステップＳ３は、ステップＳ２で、送信抑制装置６０が電界強度信号Ｎを受信した場合に行われる判定ステップである。この判定ステップは、移動局１０に電源が入れられてから、電界強度信号Ｎの受信は、初めてであるか否かを判定する。ステップＳ３で、受信が初めてであると判定した場合は、ステップＳ４に進む。一方、その受信が初めてでないと判定した場合は、ステップＳ６に進む。
【００２２】
ステップＳ４は、送信抑制装置６０が受信した電界強度信号Ｎを、画像更新部４１に向けて送信する。
【００２３】
ステップＳ５は、送信抑制装置６０が送信した電界強度信号Ｎを、前回送信した電界強度レベル信号Ｐ（以降、「前回信号Ｐ」という）として、記憶装置６２に書き込むステップである。
【００２４】
ステップＳ６は、記憶装置６２から閾値Ｂ１〜Ｂ３を全て読み出すステップである。
ステップＳ７は、前回信号Ｐを、記憶装置６２から読み出すステップである。ステップＳ８は、読み出した前回信号Ｐと、受信した電界強度信号Ｎとを比較し、その間に閾値Ｂ１〜Ｂ３のいずれかの閾値が存在するか否かを判定するステップである。
【００２５】
この判定の結果、前回信号Ｐと電界強度信号Ｎとの間に、閾値Ｂ１〜Ｂ３の全ての信号が存在しないということは、前回信号Ｐの属する電界強度レベルと、電界強度信号Ｎの属する電界強度レベルとが同じであることを意味する。
【００２６】
したがって、前回信号Ｐと、電界強度信号Ｎとの間に閾値Ｂ１〜Ｂ３のいずれかの閾値が存在した場合（Ｓ９）、電界強度信号Ｎを画像更新部４１に送信するが（Ｓ４）、前回信号Ｐと電界強度信号Ｎとの間に閾値Ｂ１〜Ｂ３のいずれの閾値も存在しなければ、電界強度信号Ｎを、画像更新部４１に送信しない。
【００２７】
ディスプレイ２０に表示される画像と送信抑制装置６０の動作について図２に基づいて説明する。
例えば、送信抑制装置６０が、移動局１０の電源が接続されてから、初めて電界強度信号Ｎを受信し、この電界強度信号Ｎが、Ｌｅｖ．２の範囲の値だったとする。この場合、送信抑制装置６０は、画像更新部４１に電界強度信号Ｎを送信する。したがって、画像更新部４１の電源が接続され、画像更新部４１が、ディスプレイ２０に、Ｌｅｖ２に応じたＭ２の画像を表示させる。
【００２８】
一方、送信抑制装置６０は、前回信号Ｐとして、電界強度信号Ｎの値を記憶装置６２に保持する。したがって、ディスプレイ２０に表示されている画像の示す電界強度レベル（第２の電界強度レベル）は、記憶装置６２に保持されている電界強度信号Ｎの値が示す電界強度レベルと等しくなる。
【００２９】
送信抑制装置６０が電界強度信号Ｎを次に受信した場合に、送信抑制装置６０および画像更新部４１の動作並びにディスプレイ２０に表示されている画像の変化について説明する。
【００３０】
電界強度信号Ｎが、再びＬｅｖ．２の範囲の値である場合（Ｎ＝Ｎ２）、前回信号Ｐの値と電界強度信号Ｎの値との間にいずれの閾値Ｂ１〜Ｂ３も存在しない。したがって、電界強度信号Ｎのレベルは、前回信号Ｐのレベル（Ｌｅｖ．２）と同じであることを判定できる。
【００３１】
したがって、送信抑制装置６０は、電界強度信号Ｎを画像更新部４１に送信しない。そのため、画像更新部４１は更新されない。しかし、ディスプレイ２０に表示されている画像Ｍ２は、送信抑制装置６０が受信した電界強度信号Ｎ２に応じた画像となっている。すなわち、移動局１０の検知している電界強度との対応品質は劣化していない。
【００３２】
電界強度信号Ｎが、Ｌｅｖ．０、Ｌｅｖ．１またはＬｅｖ．３のいずれか一の範囲に該当する場合（Ｎ＝Ｎ０、Ｎ１、Ｎ３）、前回信号Ｐの値と電界強度信号Ｎの値との間に閾値Ｂ１〜Ｂ３のいずれかの閾値が存在する。したがって、電界強度信号Ｎのレベルは、前回信号Ｐのレベル（Ｌｅｖ．２）と異なることを判定できる。
【００３３】
したがって、送信抑制装置６０は、電界強度信号Ｎを画像更新部４１に送信しない。そのため、画像更新部４１に表示されている画像Ｍ２は、送信抑制装置６０に受信された電界強度信号Ｎ０、Ｎ１、Ｎ３に応じた画像Ｍ０、Ｍ１、Ｍ３に更新される。
【００３４】
実施の形態１の効果を説明する。
この実施の形態１は、周期的に到来する更新時期に、移動局１０のディスプレイ２０に表示された画像が更新されるように、画像制御部３０で制御する画像制御方法において、画像制御部３０に設けられ、前記画像の更新処理を行う画像更新部４１が、電源接続状態で、前記更新処理を行う更新ステップと、画像更新部４１が電源切断状態にされる電源切断ステップと、この電源切断ステップ中に、前記更新時期が到来した時、前記画像と、更新予定の画像とが同一の画像である場合は、画像更新部４１の電源切断状態を維持する電源切断状態維持ステップとを備えている。
【００３５】
したがって、移動局１０のディスプレイ２０に、更新時期に、更新予定の画像を表示させた上で、画像更新部４１の更新処理回数を削減し、移動局１０の消費電力を削減できる。
【００３６】
この実施の形態１は、前記画像は、移動局１０が検知している電界強度を段階的に示す電界強度レベルを表す画像であり、画像更新部４１は、移動局１０の電界強度を示す電界強度信号Ｎが通知された場合に電源が接続されるものであり、前記電源切断状態維持ステップは、移動局１０の電界強度を監視する無線情報管理部（電界強度監視部）５１から出力される電界強度信号Ｎを受信する受信ステップと、この受信ステップで受信された電界強度信号Ｎに応じた第１の電界強度レベルと、前記ディスプレイ２０に表示されている画像が示す第２の電界強度レベルとを比較する比較ステップとを備え、この比較の結果、前記第１の電界強度レベルと、前記第２の電界強度レベルとが同じである場合に、画像更新部４１へ電界強度信号Ｎを入力しない画像制御方法である。
【００３７】
したがって、移動局１０のディスプレイ２０に表示された電界強度レベル画像と移動局１０の検知している電界強度との対応品質を劣化させることなく、画像更新部４１の更新処理回数を削減し、移動局１０の消費電力を削減できる。
【００３８】
この実施の形態１は、第２の電界強度レベルは、画像更新部４１へ電界強度信号Ｎを入力した場合に、電界強度信号Ｎが属する電界強度レベルであって、第２の電界強度レベルとして記憶装置（記憶部）６２に書き込まれる画像制御方法である。
【００３９】
したがって、受信した電界強度信号Ｎと、この電界強度信号Ｎから遅れて受信した電界強度信号Ｎとを比較することを実現できる。それゆえ、移動局１０のディスプレイ２０に表示された電界強度レベル画像と移動局１０の検知している電界強度との対応品質を劣化させることなく、画像更新部４１の更新処理回数を削減し、移動局１０の消費電力を削減できる。
【００４０】
この実施の形態１は、周期的に到来する更新時期に、移動局１０のディスプレイ２０に表示された画像が更新されるように、画像制御部３０で制御する移動局１０において、前記画像制御部３０に設けられ、前記画像の更新処理を電源接続状態で行い、また電源切断状態となる画像更新部４１を備え、前記画像更新部４１が電源切断状態中に、前記更新時期が到来した時、前記画像と、更新予定の画像とが同一の画像である場合は、前記画像制御部３０が、前記画像更新部４１の電源切断状態を維持する移動局１０である。
【００４１】
したがって、移動局１０のディスプレイ２０に、更新時期に、更新予定の画像を表示させた上で、画像更新部４１の更新処理回数を削減し、消費電力を削減した移動局１０を実現できる。
【００４２】
【発明の効果】
この発明は、周期的に到来する更新時期に、移動局のディスプレイに表示された画像が更新されるように、画像制御部で制御する画像制御方法において、前記画像制御部に設けられ、前記画像の更新処理を行う画像更新部が、電源接続状態で、前記更新処理を行う更新ステップと、前記画像更新部が電源切断状態にされる電源切断ステップと、この電源切断ステップ中に、前記更新時期が到来した時、前記画像と、更新予定の画像とが同一の画像である場合は、前記画像更新部の電源切断状態を維持する電源切断状態維持ステップとを備える。
【００４３】
したがって、移動局のディスプレイに、更新時期に、更新予定の画像を表示させた上で、画像更新部の更新処理回数を削減し、移動局の消費電力を削減できる。
【００４４】
また、周期的に到来する更新時期に、移動局のディスプレイに表示された画像が更新されるように、画像制御部で制御する移動局において、前記画像制御部に設けられ、前記画像の更新処理を電源接続状態で行い、また電源切断状態となる画像更新部を備え、前記画像更新部が電源切断状態中に、前記更新時期が到来した時、前記画像と、更新予定の画像とが同一の画像である場合は、前記画像制御部が、前記画像更新部の電源切断状態を維持する移動局である。
【００４５】
したがって、移動局のディスプレイに、更新時期に、更新予定の画像を表示させた上で、画像更新部の更新処理回数を削減し、消費電力を削減した移動局を実現できる。
【００４６】
【図面の簡単な説明】
【図１】実施の形態１の移動局の構成を表す図である。
【図２】電界強度信号、電界強度レベルおよび電界強度レベル画像の関係を表す図である。
【図３】実施の形態１の移動局の送信抑制装置の動作を表すフローチャート図である。
【符号の説明】
１０：移動局                            ２０：ディスプレイ
３０：画像制御部                        ４１：画像更新部
５１：無線情報管理部（電界強度監視部）  ６２：記憶装置（記憶部）
【図１】
2004201251.tif 000003
【図２】
2004201251.tif 000004
【図３】
2004201251.tif 000005